(57)【要約】【課題】  ケース内には大きなフィルターを備え、流入口から流出口へ空気を流すことで空気中に含まれている不純物や有害物質を除去する空気清浄装置の提供。【解決手段】  フィルター２ａ，２ｂはケース１の側面７に対して傾斜し、そして、フィルター２ａ，２ｂの流出側には整流板４を取付けてケース内の空気の流れを規制し、大きなフィルター２ａ，２ｂのほぼ全面を均等に通過する。【選択図】    図１
2015087032.tif 000002
【特許請求の範囲】
【請求項１】
ケース内にはフィルターを備え、流入口から流出口へ空気を流すことで空気中に含まれている不純物や有害物質を除去する空気清浄装置において、フィルターはケースの側面に対して傾斜して配置し、そして、フィルターの流出口側又は流入口側、或いは流出口側と流入口側には整流手段を取付けてケース内の空気の流れを規制したことを特徴とする空気清浄装置。
【請求項２】
上記整流手段として、板状態の整流板を用いた請求項１記載の空気清浄装置。
【発明の詳細な説明】
【技術分野】
【０００１】
本発明は小さいケースに大きな面積を有すフィルターを収容した空気清浄装置に関するものである。
【背景技術】
【０００２】
空気清浄装置は色々な場所で使用されている。例えば、喫煙室で発生するタバコの煙を除去する為に、またトイレの臭いを吸収する為に該空気清浄装置は有効に機能することが出来る。
また、臭いに限らず一般家庭の内装材に使われている建材からは、ホルムアルデヒドやアセトアルデヒドなどの有機汚染物質が揮発しやすく、このような有機汚染物質の人体への影響が懸念されることから、住宅の一般的な部屋にも空気清浄装置を設置する場合もある。
【０００３】
特に、トイレのような容積の小さな部屋空間に有害物質が充満した場合の人体への影響は大きく、その為にトイレには一般に換気扇が設けられている。しかし、換気扇は、通常トイレを使用している時にのみ駆動するように制御していることから、臭いや有機汚染物質を室外に十分に排出するには、その駆動時間が不十分である。
【０００４】
上記有機汚染物質を除去するために、有機汚染物質を含んだ部屋内の空気を、フィルターや触媒に通すことにより除去する空気清浄装置が開発されている。しかしながら、このような空気清浄装置は、フィルターや触媒などの特殊な部材が用いられているため、高価であり、また、装置自体も大きくなるため、容積が小さなトイレ空間には設置し難い。
【０００５】
図８はケース（イ）の内部にフィルター（ロ）、（ロ）、（ニ）、（ニ）を配置した場合の概略図で、出口側にはモーターで回転するファン（ハ）を備えている。従って、ケース（イ）の入口から流入した空気はフィルター（ロ）、（ロ）、（ニ）、（ニ）を通過することで、不純物や有害物質が除去されて出口から流出することが出来る。同図の（Ａ）はケース（イ）の側面（ホ）に対してフィルター（ロ）、（ロ）は垂直に配置されている。
【０００６】
ところで、清浄能力を高めるためには大きなフィルターをケース内に収納する必要があるが、限られた大きさのケース（イ）に大きなフィルターを収納する為には、図８（Ｂ）に示すようにフィルター（ニ）、（ニ）をケース側面（ホ）に対して斜めに配置する必要がある。ケース（イ）の側面（ホ）に対して垂直方向に配置する（Ａ）の場合に比べて（Ｂ）のように傾斜するならば２倍以上の面積を有すフィルター（ニ）、（ニ）を配置することが出来る。
【０００７】
ところで、空気清浄装置に関する技術は色々知られている。例えば、特開２００４−２３００５７号に係る「空気清浄機」は、高い脱臭効果を有すもので、送風機によって室内空気を吸い込むとともに、室内空気に含まれる臭気を脱臭フィルターにより除去する空気清浄機であり、上記脱臭フィルターは、送風通路を有する枠体と、上記送風通路内に充填される活性炭とから構成される脱臭パネルを有し、上記送風通路は、上記送風機の吸引方向に対して傾斜している。
しかし、このようにフィルターを傾斜して配置する場合、送風通路を流れる空気はフィルターの全面を均一に通過することはない。従って、大きなフィルターを配置しても清浄機能はそれほど向上しないと考えられる。
【０００８】
また、特開２００１−２０８３８５号に係る「空気清浄装置」はフィルターを用いないで汚染物質を除去する簡便な装置である。すなわち、自動的に給排水される貯水槽を備えた水洗トイレを有するトイレ室内の空気を清浄化する空気清浄装置であって、貯水槽と、該貯水槽に設けられた吸排気ポンプとを備え、吸排気ポンプの吸気口は貯水槽の外部に連通しており、該吸排気ポンプの排気口は該貯水槽内の水中に連通しており、トイレ室内の空気を吸気口から吸気して排気口から貯水槽の水中に排気し、空気中の汚染物質を水中に溶解させるように構成している。しかし、このよう空気清浄装置は取付ける用途が限られ、その取付け構造も複雑化してしまう。
【特許文献１】特開２００４−２３００５７号に係る「空気清浄機」
【特許文献２】特開２００１−２０８３８５号に係る「空気清浄装置」
【発明の開示】
【発明が解決しようとする課題】
【０００９】
このように、空気清浄装置は色々存在しているが、上記のごとき問題がある。本発明が解決しようとする課題はこれら問題点であり、小さいケースに傾斜して配置したフィルターにて空気中に含まれている不純物や有害物質を高い能力で除去することが出来、またその取付けが簡単で汎用性のある空気清浄装置を提供する。
【課題を解決するための手段】
【００１０】
本発明に係る空気清浄装置は、ケースの一方側に流入口を設け、他方側に流出口を設けている。そして、フィルターをケース側面に対して傾斜して配置し、すなわち流入口から流出口への空気の流れ方向に対して傾斜して配置し、しかも該フィルター全面を空気が通過するように空気の流れを規制する為の整流手段を流出口側に配置する。そして、ケースとの間又は整流手段の一部に空気の流通口を設けている。従って、フィルターを通過して整流手段に当たることでフィルターを流れる空気の流速は低下し、しかもフィルター全面をほぼ均一に通過するように流れる。その為に、フィルター全面が機能し、空気の清浄機能が大きく向上する。
【００１１】
ところで、ケース内に配置するフィルターの具体的構成は問わないことにする。本発明はケース横断面に対して大きな面積を有すフィルターを傾斜して配置すると共に、該フィルター全面をほぼ均等に空気が通過するように整流手段を設けたことに特徴を有す空気清浄装置である。また、整流手段はケースの流出口側のみならず流入口側、又は流出口側と流入口側にも配置することも出来る。
ここで言う整流手段とは一般に板状態として構成される整流板が適しているが、空気の流れを規制する部材であればよく、その形状は特に限定しない。
【発明の効果】
【００１２】
本発明に係る空気清浄装置はケース内部にフィルターを配置しているが、該フィルターはケース側面に対して傾斜している。従って、空気が流れるケース横断面に対してフィルター面積は大きく、しかも、整流手段を備えていることで該フィルター全面をほぼ均等に空気が流れるようになり、空気に含まれている不純物や有害物資を効率よく除去することが出来る。そして、ケース本体は比較的小さく、その為に本発明の空気清浄装置の外形はコンパクト化し、小さい空間であっても邪魔になることなく設置することが可能となる。
【図面の簡単な説明】
【００１３】
【図１】本発明に係る空気清浄装置を示す実施例。
【図２】本発明に係る空気清浄装置を示す実施例。
【図３】本発明に係る空気清浄装置を示す実施例。
【図４】本発明に係る空気清浄装置を示す実施例。
【図５】本発明に係る空気清浄装置を示す実施例。
【図６】本発明に係る空気清浄装置を示す実施例。
【図７】トイレの各便器の間に空気清浄装置を取付けた具体例。
【図８】ケースの内部にフィルターを取付けた空気清浄装置。
【発明を実施するための形態】
【００１４】
図１は本発明に係る空気清浄装置を示す実施例で、同図の１はケース、２ａ，２ｂはフィルター、３はファン、４は整流板を表している。同図におけるケース１の下端に空気の流入口５を設け、ケース１の上端に流出口６を有している。すなわち、ケース１の上端部にはファン３を取付け、該ファン３がモーターにて回転するならば、流入口５から流入した空気はケース１を通過して流出口６から流出する。
【００１５】
ケース１の内部には２枚のフィルター２ａ，２ｂが所定の間隔をおいて平行に配置され、ケース１を流れる空気はこの２枚のフィルター２ａ，２ｂを通過することになり、この際に、空気に含まれている不純物や有害物質は該フィルター２ａ，２ｂによって除去される。ここで、該フィルター２ａ，２ｂはケース１の側面７に対して垂直ではなく傾斜して配置され、その為に該フィルター２ａ，２ｂの面積はケース１の横断面に対して大きく成っている。同図に示すフィルター２ａ，２ｂはケース横断面に対して３倍以上の面積としている。
【００１６】
しかも、本発明の空気清浄装置は整流板４を備え、該整流板４にてケース内の流れをコントロールすることが出来、その結果、上記フィルター２ａ，２ｂを通過する空気はほぼ全面を均等に流れるようになる。すなわち、空気はフィルター２ａ，２ｂの一部に片寄って流れないように整流板４にて規制することが出来、大きなフィルター２ａ，２ｂは有効に機能する。
【００１７】
上記整流板４はフィルター２ａ，２ｂと同じ方向に傾斜しており、そして、ケース１の側面７との間に隙間（空間）を有して流通口８を形成し、フィルター２ａ，２ｂを通過した空気は該流通口８を流れて流出口６から流出する。ところで、同図の矢印は空気の流れを示しているが、流入口５から流入した空気は２枚のフィルター２ａ，２ｂを通過し、流通口８を流れる。傾斜した整流板４の流通口８を流出口６から離れた側に設けることで、フィルター２ａ，２ｂを通過して整流板４に当たった空気は該整流板４に沿って逆流して流通口８を通過する。この流れによって、空気はフィルター２ａ，２ｂのほぼ全面を均等に流れて通過することが出来る。
【００１８】
図２は本発明に係る空気清浄装置を示す他の実施例である。この空気清浄装置の場合も、ケース１には２枚のフィルター２ａ，２ｂが傾斜して配置され、そして流出口６の側には整流板９を設けている。この整流板９はケース１の側面７に対して垂直方向に延び、反対側の側面７との間に流通口１０を形成している。従って、流入口５から流入してケース１を流れた空気は、２枚のフィルター２ａ，２ｂを通過し、整流板９の流通口１０を流れる。
【００１９】
この場合も、該整流板９にてケース１内の空気の流れが規制され、その結果、フィルター２ａ，２ｂのほぼ全面を均等に通過して流れるようになる。すなわち、これら整流板４，９は大きな面積のフィルター２ａ，２ｂを傾斜して配置しても、空気の流れが一部に片寄ることなく均等に流れるように規制することが出来る。
【００２０】
図３は本発明に係る空気清浄装置を示す別の実施例である。この空気清浄装置の場合もケース１には２枚のフィルター２ａ，２ｂが所定の間隔をおいて傾斜して配置され、そして流出口６の側には整流板４を設けている。この整流板４はケース１の側面７に対してフィルター２ａ，２ｂと同じ方向に傾斜して延び、流出口６から離れた位置に流通口８を形成している。すなわち、前記図１に示した空気清浄装置の場合と同じように配置している。そして、図３の空気清浄装置では流入口５の側に別の整流板１１を備えて流入口５から流入する空気の流れも規制している。
【００２１】
該整流板１１はケース１の側面７から内側へ垂直方向に延び、そして反対側側面７との間に流入口５を設けている。この流入口５の位置は傾斜したフィルター２ａ，２ｂの先端に近い側としている。従って、流入口５から流入してケース１に入った空気は、フィルター２ａに沿って流れ、そして、２枚のフィルター２ａ，２ｂを通過し、整流板４の流通口８を流れる。従って、該整流板１１と整流板４にてケース１内の空気の流れが規制され、フィルター２ａ，２ｂのほぼ全面を均等に通過して流れるようになる。
【００２２】
図４は本発明に係る空気清浄装置を示す更なる別の実施例である。この空気清浄装置の場合もケース１には所定の間隔をおいた２枚の平行なフィルター２ａ，２ｂが傾斜して配置され、そして流出口６の側には整流板４を設けている。この整流板４はケース１の側面７に対してフィルター２ａ，２ｂと同じ方向に傾斜して延び、流出口６から離れた位置に流通口８を形成している。すなわち、前記図１に示した空気清浄装置の場合と同じように配置している。そして、図４の空気清浄装置では流入口５の側に別の整流板１２と整流板１３を備えて流入口５から流入する空気の流れを規制している。
【００２３】
該整流板１２はケース１の側面７から内部方向へ傾斜して延び、そして反対側側面７との間に流入口５を設けている。また該整流板１２の先端からは別の整流板１３がフィルター２ａに沿って延びている。この流入口５の位置は傾斜したフィルター２ａ，２ｂの先端に近い側としている。従って、流入口５から流入してケース１に入った空気は、フィルター２ａと整流板１３に仕切られた流通路１４を流れ、そして、２枚のフィルター２ａ，２ｂを通過し、整流板４の流通口８を流れる。従って、該整流板１２、１３と整流板４にてケース１内の空気の流れが規制され、フィルター２ａ，２ｂのほぼ全面を均等に通過して流れるようになる。
【００２４】
図５に示す空気清浄装置は、その構造の大半を前記図４に示す空気清浄装置を共通している。すなわち、ケース１には所定の間隔をおいて互いに平行な２枚のフィルター２ａ，２ｂを傾斜して配置し、流入口５の側には傾斜してケース１の内部へ延びる整流板１２とフィルター２ａに沿って延びる整流板１３を設けている。そして、フィルター２ａ，２ｂの流出口６の側には整流板１５を配置しているが、この整流板１５の流通口１６は流出口６に近い位置に設けている。
【００２５】
すなわち、前記図４に示す空気清浄装置の場合には、整流板４の流通口８は流出口６から離れた位置に設けている。フィルター２ａ，２ｂを通過して整流板１５に当たった空気の流れは、流通口１６が流出口６に近い側に設けることで、整流板１５に沿って逆流することはなく、フィルター２ａ，２ｂのほぼ全面を通過すると共に、ケース内の流れは比較的スムーズとなる。
【００２６】
図６に示す空気清浄装置は、その構造の大半を前記図４、図５に示す空気清浄装置を共通している。すなわち、ケース１には所定の間隔をおいて互いに平行な２枚のフィルター２ａ，２ｂを傾斜して配置し、流入口５の側には傾斜してケース１の内部へ延びる整流板１２とフィルター２ａに沿って延びる整流板１３を設けている。そして、フィルター２ａ，２ｂの流出口６の側には整流板１７を配置しているが、この整流板１７の流通口１８ａ，１８ｂを両側面７，７との間に形成している。
【００２７】
フィルター２ａ，２ｂを通過して整流板１７に当たった空気は、両流通口１８ａ，１８ｂを流れて流出口６から流出する。すなわち、大きなフィルター２ａ，２ｂのほぼ全面を均等に通過した空気は適当に分かれてそれぞれの流通口１８ａ，１８ｂを流れて流出口６から流出する。上記実施例で説明した空気清浄装置では、上記整流板をケース側面との間に空間（隙間）を形成して流通口としているが、整流板そのものに穴を貫通して流通口とすることも出来る。
実施例では整流手段としての一形態である整流板を使用した場合を説明したが、空気の流れを規制する形態であるならば板状態を成す整流板に限定はしない。
【００２８】
ところで、本発明の空気清浄装置の具体的な用途を限定するものではないが、その１つとして図７に示すトイレの便器１９，１９・・の間に取付けることが出来る。本発明の空気清浄装置Ａはフィルター２ａ，２ｂを傾斜して配置することでケース１はコンパクト化され、その為に便器１９，１９・・に間に設けている空間に取付けることが出来る。そして、便器１９，１９・・・の周囲に漂う臭いを流入口５から流入し、フィルター２ａ，２ｂを通過することで臭いを吸収し、そして流出口６から清い空気が流出することが出来る。従って、トイレ空間に臭いが漂うことはなく、清潔感のあるトイレ空間を実現できる。
【符号の説明】
【００２９】
１   ケース
２   フィルター
３   ファン
４   整流板  
５   流入口
６   流出口
７   側面
８   流通口
９   整流板
10   流通口
11   整流板
12   整流板
13   整流板
14   流通路
15   整流板
16   流通口
17   整流板
18   流通口
19   便器
【図１】
2015087032.tif 000003
【図２】
2015087032.tif 000004
【図３】
2015087032.tif 000005
【図４】
2015087032.tif 000006
【図５】
2015087032.tif 000007
【図６】
2015087032.tif 000008
【図７】
2015087032.tif 000009
【図８】
2015087032.tif 000010